(57)【要約】  【課題】  ボタンを生地に縫い付ける縫目に適度な弛みを確実に持たせることができる、ボタン付けミシンを提供する。  【解決手段】  ボタン付けミシン１は、ミシン本体２、押えアーム３、アーム駆動機構４、１対のボタン把持部材５、把持部材開閉機構６、１対のボタン把持部材５とは独立に押えアーム３の先端側部分に装着され、１対のボタン把持部材５で把持されたボタンＢＵを縫い付ける生地ＷのうちボタンＢの近傍部分をベッド部２ａの針板１４上に押える左右１対の押え部材７、１対の押え部材７の押え部６２同士の間の間隔を調節して固定可能な押え開閉位置調節機構８、１対の押え部材７に対する１対のボタン把持部材５の高さ位置を夫々調節して固定可能な把持高さ調節機構９を備えている。【選択図】  図５
2005287543.tif 000002
【特許請求の範囲】
【請求項１】
ミシン本体のベッド部に上下動可能に基端側部分が枢支された押えアームと、この押えアームの先端側部分に水平方向へ開閉自在に装着され閉状態でボタンを把持可能な１対のボタン把持部材と、１対のボタン把持部材を開閉させる把持部材開閉機構とを備えたボタン付けミシンにおいて、
前記１対のボタン把持部材とは独立に押えアームの先端側部分に装着され、１対のボタン把持部材で把持されたボタンを縫い付ける生地のうち前記ボタンの近傍部分をベッド部の針板上に押える１対の押え部材と、
前記１対の押え部材同士の間の間隔を調節して固定可能な押え開閉位置調節機構と、
前記押え部材に対するボタン把持部材の高さ位置を調節して固定可能な把持高さ調節機構と、
を備えたことを特徴とするボタン付けミシン。
【請求項２】
前記押え開閉位置調節機構は、１対の押え部材の基端部を夫々鉛直軸心回りに押えアームに枢支する１対の枢支部と、押えアームにスライド自在にガイドされ且つ１対のカム溝が形成された開閉作動板と、１対の押え部材に設けられ１対のカム溝に夫々案内された１対のカム従動子と、押えアームに開閉作動板を固定する為の締結部材とを有することを特徴とする請求項１に記載のボタン付けミシン。
【請求項３】
前記把持高さ調節機構は、押えアームに設けた把持用取付台に設けられボタン把持部材を取り付ける為の縦向きの取付部と、取付部とボタン把持部材の一方に形成された上下に長い長穴と、この長穴を挿通する締結ネジ部材とを有することを特徴とする請求項１又は２に記載のボタン付けミシン。
【請求項４】
前記１対のボタン把持部材に把持されたボタンを上側から押える１対のボタン押え部材を設け、
前記１対のボタン押え部材は前記把持高さ調節機構を介して１対のボタン把持部材に夫々高さ調節可能に装着されたことを特徴とする請求項３に記載のボタン付けミシン。
【請求項５】
前記押えアーム又は押えアームに設けた押え用取付台に連結された把持用取付台に、１対のボタン把持部材と把持部材開閉機構が取り付けられ、
前記把持高さ調節機構は、押えアーム又は押え用取付台に対して把持用取付台を支持すると共に上下方向へ高さ調節可能な１又は複数の高さ調節部材を有することを特徴とする請求項１又は２に記載のボタン付けミシン。
【請求項６】
前記高さ調節部材は、押え用取付台と把持用取付台の一方に鉛直軸心回りに回動操作可能に支持され、且つ、押え用取付台と把持用取付台の他方に螺合された高さ調節ネジからなることを特徴とする請求項５に記載のボタン付けミシン。
【発明の詳細な説明】
【技術分野】
【０００１】
本発明はボタンを生地に縫い付けるボタン付けミシンに関するものである。
【背景技術】
【０００２】
従来、本願出願人が実用化しているボタン付けミシンには、ミシン本体のベッド部に上下動可能に基端側部分が枢支された押えアームと、この押えアームの先端側部分に水平方向へ開閉自在に装着され閉状態でボタンを把持可能な１対のボタン把持部材と、１対のボタン把持部材を開閉させる把持部材開閉機構と、１対のボタン把持部材で把持されたボタンを縫い付ける生地のうち前記ボタンの近傍部分をベッド部の針板上に押える１対の押え部が設けられている（例えば、特許文献１参照）。
【０００３】
このボタン付けミシンでは、１対のボタン把持部材の下面部に１対の押え部が一体的に設けられており、１対のボタン把持部材で把持するボタンの大きさに応じて、１対のボタン把持部材間の間隔が変化すると１対の押え部間の間隔も変化する。
ところで、生地に縫い付けたボタンが生地に密着しすぎると、そのボタンをボタン穴へ通すボタン通しが難しくなり、無理にボタン通しを行おうとすると、ボタンがちぎれてしまう虞もある。そこで、特許文献１のボタン付けミシンでは、針板に針穴と連通する細長い溝が形成され、この溝内に針穴を横切る細長い弛み形成部材が配設されている。
【０００４】
このボタン付けミシンにおいて、ボタンを生地に縫い付けるために、押え部（ボタン把持部材の下面）で生地を針板上に押えると、ボタン把持部材によりボタンは生地上に浮いた状態で保持され、ボタン下側の生地の下面に弛み形成部材が当接する。この状態で、ミシンによるボタンの縫い付けが行われると、ボタン穴を渡る生地下側の渡り糸が弛み形成部材の下側を渡った状態となる。つまり、ボタンの縫い付け後、その渡り糸を弛み形成部材から抜くことで、ボタンを生地に縫い付ける縫目に弛みを持たせる。
【０００５】
【特許文献１】実公昭６１−７６５９号公報
【発明の開示】
【発明が解決しようとする課題】
【０００６】
１対のボタン把持部材の下面部に１対の押え部を一体的に設けたボタン付けミシンでは、１対のボタン把持部材で把持するボタンが大きくなると、１対のボタン把持部材間の間隔つまり１対の押え部間の間隔が大きくなる。この場合、ボタン把持部材によりボタンを生地上に浮かせた状態で保持して、ボタンの縫い付けを行っても、１対の押え部で押えることができない、それら押え部間の生地部分が大きくなるため、生地がボタンに引き付けられ、ボタンを生地に縫い付ける縫目に必要な弛みを持たせることができない虞がある。
【０００７】
特許文献１のボタン付けミシンでは、弛み形成部材によりボタンを生地に縫い付ける縫目に弛みを持たせるようにしているが、１対のボタン把持部材で把持するボタンが大きくなると、やはり、１対の押え部間の間隔が大きくなるため、生地がボタンに引き付けられて、糸緩め効果を十分に発揮できないこと、生地へのボタンの縫い付け後、その渡り糸を弛み形成部材から抜く作業が煩雑であること、その際、渡り糸が損傷、更には切れる虞があること、等の問題がある。
【０００８】
従来より、ボタンを生地に縫い付ける縫目に所望の弛みを持たせたいという要請がある。そのために、生地の素材や厚さに応じて糸張力を調整して対応することが考えられるが、上記課題がある以上、所望の弛みを持たせることは難しい。他方、ボタン把持部材で把持するボタンの高さ位置を変更することが考えられる。しかし、ボタン近傍の生地部分を針板上に確実に押えることができないのであれば、生地がボタンに引き付けられるため、結局、ボタンを生地に縫い付ける縫目に所望の弛みを持たせることが難しい。
【０００９】
本発明の目的は、ボタンを生地に縫い付ける縫目に適度な弛みを確実に持たせることができる、ボタン付けミシンを提供することである。
【課題を解決するための手段】
【００１０】
請求項１のボタン付けミシンは、ミシン本体のベッド部に上下動可能に基端側部分が枢支された押えアームと、この押えアームの先端側部分に水平方向へ開閉自在に装着され閉状態でボタンを把持可能な１対のボタン把持部材と、１対のボタン把持部材を開閉させる把持部材開閉機構とを備えたボタン付けミシンにおいて、前記１対のボタン把持部材とは独立に押えアームの先端側部分に装着され、１対のボタン把持部材で把持されたボタンを縫い付ける生地のうち前記ボタンの近傍部分をベッド部の針板上に押える１対の押え部材と、前記１対の押え部材同士の間の間隔を調節して固定可能な押え開閉位置調節機構と、前記押え部材に対するボタン把持部材の高さ位置を調節して固定可能な把持高さ調節機構とを備えたことを特徴とする。
【００１１】
把持部材開閉機構により１対のボタン把持部材が開閉され、１対のボタン把持部材が閉状態に切り換えられ、この閉状態の１対のボタン把持部材によりボタンが把持される。尚、閉状態における１対のボタン把持部材間の間隔は、把持するボタンの大きさに応じて変化する。また、押えアームを上げた状態で、針板上に生地がセットされ、次に、押えアームを下げると、１対の押え部材により、１対のボタン把持部材で把持されたボタンを縫い付ける生地のうちボタンの近傍部分が針板上に押えられ、この状態で、ミシン本体によりボタンが生地に縫い付けられる。
【００１２】
さて、押え開閉位置調節機構により、１対の押え部材同士の間の間隔（以下、押え間隔という）を調節して固定することができる。１対の押え部材は、１対のボタン把持部材とは独立に押えアームの先端側部分に装着されているため、押え間隔は、１対のボタン把持部材の開閉に関係なく、押え開閉位置調節機構で調節した位置に固定される。ここで、押え間隔については、ボタンに形成されたボタン穴を挿通する縫針と１対の押え部材とが干渉しないように、これら押え部材をできるだけ接近させた状態の間隔にすることが好ましく、これにより、ボタンを生地に縫い付ける際に、その縫糸により生地が浮き上がりボタンに引き付けられることを極力防止することができる。
【００１３】
また、把持高さ調節機構により、押え部材に対するボタン把持部材の高さ位置（以下、把持高さという）を調節して固定することができる。そして、前記のように、ボタンを生地に縫い付ける際に、その縫糸により生地が浮き上がりボタンに引き付けられることを極力防止できるため、把持高さ調節機構で調節した把持高さに応じた生地とボタンとの間隔を保持して、ボタンを生地に縫い付けることができ、ボタンを生地に縫い付ける縫目に適度な弛みを確実に持たせることが可能になる。
【００１４】
ここで、前記ボタン付けミシンを次のように構成することが好ましい。
前記押え開閉位置調節機構は、１対の押え部材の基端部を夫々鉛直軸心回りに押えアームに枢支する１対の枢支部と、押えアームにスライド自在にガイドされ且つ１対のカム溝が形成された開閉作動板と、１対の押え部材に設けられ１対のカム溝に夫々案内された１対のカム従動子と、押えアームに開閉作動板を固定する為の締結部材とを有する（請求項２）。
【００１５】
前記把持高さ調節機構は、押えアームに設けた把持用取付台に設けられボタン把持部材を取り付ける為の縦向きの取付部と、取付部とボタン把持部材の一方に形成された上下に長い長穴と、この長穴を挿通する締結ネジ部材とを有する（請求項３）。
【００１６】
前記１対のボタン把持部材に把持されたボタンを上側から押える１対のボタン押え部材を設け、前記１対のボタン押え部材は前記把持高さ調節機構を介して１対のボタン把持部材に夫々高さ調節可能に装着される（請求項４）。
【００１７】
前記押えアーム又は押えアームに設けた押え用取付台に連結された把持用取付台に、１対のボタン把持部材と把持部材開閉機構が取り付けられ、前記把持高さ調節機構は、押えアーム又は押え用取付台に対して把持用取付台を支持すると共に上下方向へ高さ調節可能な１又は複数の高さ調節部材を有する（請求項５）。
【００１８】
前記高さ調節部材は、押え用取付台と把持用取付台の一方に鉛直軸心回りに回動操作可能に支持され、且つ、押え用取付台と把持用取付台の他方に螺合された高さ調節ネジからなる（請求項６）。
【発明の効果】
【００１９】
請求項１のボタン付けミシンによれば、押え開閉位置調節機構により、１対の押え部材同士の間の間隔（押え間隔）を調節して固定でき、１対の押え部材は、１対のボタン把持部材とは独立に押えアームの先端側部分に装着されているため、押え間隔は、１対のボタン把持部材の開閉に関係なく、押え開閉位置調節機構で調節した位置に固定できる。従って、押え間隔を適当に調節して、ボタンを生地に縫い付ける際に、その縫糸により生地が浮き上がりボタンに引き付けられることを極力防止できる。更に、把持高さ調節機構により、押え部材に対するボタン把持部材の高さ位置（把持高さ）を調節して固定できるため、把持高さ調節機構で調節した把持高さに応じた生地とボタンとの間隔を保持して、ボタンを生地に縫い付けることができ、ボタンを生地に縫い付ける縫目に適度な弛みを確実に持たせることが可能になる。
【００２０】
請求項２のボタン付けミシンによれば、押え開閉位置調節機構は、１対の押え部材の基端部を夫々鉛直軸心回りに押えアームに枢支する１対の枢支部と、押えアームにスライド自在にガイドされ且つ１対のカム溝が形成された開閉作動板と、１対の押え部材に設けられ１対のカム溝に夫々案内された１対のカム従動子と、押えアームに開閉作動板を固定する為の締結部材とを有するので、開閉作動板を押えアームに対して固定解除してスライドさせることにより、押え間隔を簡単に調節することができ、締結部材で押えアームに開閉作動板を固定して、調節した押え間隔を確実に固定することができる。
【００２１】
請求項３のボタン付けミシンによれば、把持高さ調節機構は、押えアームに設けた把持用取付台に設けられボタン把持部材を取り付ける為の縦向きの取付部と、取付部とボタン把持部材の一方に形成された上下に長い長穴と、この長穴を挿通する締結ネジ部材とを有するので、ボタン把持部材を取付部に締結ネジ部材で固定することができ、その締結ネジ部材を弛めて、取付部に対してボタン把持部材を上下に移動させて、把持高さを簡単に調節し、締結ネジ部材を締めて、調節した把持高さを確実に固定することができる。
【００２２】
請求項４のボタン付けミシンによれば、１対のボタン把持部材に把持されたボタンを上側から押える１対のボタン押え部材を設け、前記１対のボタン押え部材は前記把持高さ調節機構を介して１対のボタン把持部材に夫々高さ調節可能に装着されるので、ボタンの厚さに応じて１対のボタン押え部材を調節して、それらボタン押え部材により１対のボタン把持部材に把持されたボタンを上側から確実に押えて保持することができ、また、把持高さ調節機構を利用して１対のボタン把持部材に１対のボタン押え部材を装着することができるため、構造を簡単化し製作コスト的にも有利になる。
【００２３】
請求項５のボタン付けミシンによれば、押えアーム又は押えアームに設けた押え用取付台に連結された把持用取付台に、１対のボタン把持部材と把持部材開閉機構が取り付けられ、前記把持高さ調節機構は、押えアーム又は押え用取付台に対して把持用取付台を支持すると共に上下方向へ高さ調節可能な１又は複数の高さ調節部材を有するので、１対のボタン把持部材と把持部材開閉機構の機能を損なうことなく、１又は複数の高さ調節部材により、押えアーム又は押え用取付台に対して把持用取付台を支持し、その把持用取付台を上下方向へ高さ調節することにより、把持高さを簡単に調節して固定することができる。
【００２４】
請求項６のボタン付けミシンによれば、高さ調節部材は、押え用取付台と把持用取付台の一方に鉛直軸心回りに回動操作可能に支持され、且つ、押え用取付台と把持用取付台の他方に螺合された高さ調節ネジからなるので、１又は複数の高さ調節部材を回動させることにより、押え用取付台に対して把持用取付台を簡単に且つ確実に上下方向へ高さ調節することができる。
【発明を実施するための最良の形態】
【００２５】
本実施形態のボタン付けミシンは、ミシン本体と、ミシン本体のベッド部に上下動可能に基端側部分が枢支された押えアームと、この押えアームの先端側部分に水平方向へ開閉自在に装着され閉状態でボタンを把持可能な１対のボタン把持部材と、１対のボタン把持部材を開閉させる把持部材開閉機構と、１対のボタン把持部材とは独立に押えアームの先端側部分に装着され、１対のボタン把持部材で把持されたボタンを縫い付ける生地のうち前記ボタンの近傍部分をベッド部の針板上に押える１対の押え部材と、１対の押え部材同士の間の間隔を調節して固定可能な押え開閉位置調節機構と、押え部材に対するボタン把持部材の高さ位置を調節して固定可能な把持高さ調節機構とを備えたものである。
【実施例１】
【００２６】
以下、本発明の実施例１について、図１〜図９に基づいて説明する。
図１〜図９に示すように、ボタン付けミシン１は、ミシン本体２、ミシン本体２のベッド部２ａに上下動可能に基端側部分（後端側部分）が枢支された押えアーム３、押えアーム３を上下に駆動するパルスモータ３５を有するアーム駆動機構４、押えアーム３の先端側部分（前端側部分）に水平方向へ開閉自在に装着され閉状態でボタンＢＵを把持可能な左右１対のボタン把持部材５、１対のボタン把持部材５を開閉させる把持部材開閉機構６、１対のボタン把持部材５とは独立に押えアーム３の先端側部分に装着され、１対のボタン把持部材５で把持されたボタンＢＵを縫い付ける生地ＷのうちボタンＢＵの近傍部分をベッド部２ａの針板１４上に押える左右１対の押え部材７、１対の押え部材７の押え部６２同士の間の間隔（以下、押え間隔Ａという）を調節して固定可能な押え開閉位置調節機構８、１対の押え部材７に対する１対のボタン把持部材５の高さ位置（以下、把持高さＢという）を夫々調節して固定可能な把持高さ調節機構９を備えている。
【００２７】
図１〜図３に示すように、ミシン本体２は、ベッド部２ａ、ベッド部２ａの後部に立設された脚柱部２ｂ、脚柱部２ｂの上部から前方へ延びるアーム部２ｃ、アーム部２ｃの前部に設けられた頭部２ｄを有する。頭部２ｄには針棒１０が上下動可能に支持され、その針棒１０の下端部に縫針１１が装着されている。ベッド部２ａの内部には回転釜１３が装着され、上下動する縫針１１と回転する回転釜１３とが協動して、針板１４上の生地Ｗに縫目を形成する。ベッド部２ａには送り台１５が前後移動可能に設けられ、送り台１５の後端部に押えアーム３の後端部が左右方向向きの軸１５ａを介して回動可能に枢支されている。送り台１５にはベッド部２ａの上面に摺接する送り板１６が固定され、送り板１６の前部には矩形の縫製用穴１６ａが形成されている。図示略の送り駆動機構により、送り台１５と共に押えアーム３と送り板１６が一体的に前後方向へ移動駆動される。
【００２８】
図１、図３〜図９に示すように、押えアーム３は、後端部が送り台１５に連結されたアーム本体２０、アーム本体２０の前端部に左右１対のボルト２１により連結された押え用取付台２２、押え用取付台２２の上側に所定間隔を空けて配設され且つ押え用取付台２２に左右１対の短尺円筒状のスペーサ２３とボルト２４とを介して連結された把持用取付台２５を有し、把持用取付台２５に、１対のボタン把持部材５と把持部材開閉機構６が取り付けられ、押え用取付台２２に、１対の押え部材７と押え開閉位置調節機構８が取り付けられている。アーム本体２０には、その前端部に上側へ延びるＬ形部材２６が装着され、その後側にバネ装着棒３２の下端部が係合する穴２０ａが形成されている。
【００２９】
図１〜図３に示すように、アーム駆動機構４は、ミシン本体２のアーム部２ｃに固定されて下側へ張り出す逆ヘ字形のブラケット３０、ブラケット３０の下端部に左右方向向きの軸心回りに回動可能に枢支された前後方向に長い押え上げレバー３１、ブラケット３０の前上端部のバネ受け部３０ａに上端部分が連結されて下方へ延びるバネ装着棒３２、バネ装着棒３２に外装され且つブラケット３０のバネ受け部３０ａとバネ装着棒３２の下部の鍔部３２ａの間に介装された圧縮コイルバネ３３、押え上げレバー３１を回動させるレバー駆動部３４を有する。押え上げレバー３１の長さ方向途中部がブラケット３０に枢支され、押え上げレバー３１の前端部分がＬ形部材２６の水平部の下側に位置している。また、押えアーム３が前後方向へ移動した場合にバネ装着棒３２は傾動し得るように、バネ装着棒３２がブラケット３０に連結されている。
【００３０】
レバー駆動部３４は、脚柱部２ｂの後側のカバー２ｅ内に設けられたパルスモータ３５、パルスモータ３５の出力軸３５ａに固着の駆動ギヤ３６、駆動ギヤ３６に噛合する従動ギヤ３７、従動ギヤ３７が固着されミシンフレームに枢支された軸３８、軸３８に固着されたカム３９、ミシンフレームに枢支され下端部にカム３９に係合するコロ４０が装着されたく字形の第１リンク部材４１、第１リンク部材４１の上端部に後端部が連結された連杆４２、アーム部２ｃのミシンフレームに枢支され下端部に連杆４２の前端部が連結されたＬ形の第２リンク部材４３、第２リンク部材４３の前端部に連結された角駒４４、角駒４４に前後方向に相対的に移動可能に連結された上下に長い駆動ロッド４５、駆動ロッド４５に連結されアーム部２ｃの下側に配設された連結部材４６を有する。尚、コロ４０がカム３９に係合する方向へ第１リンク部材４１を付勢するバネ４７が設けられている。
【００３１】
連結部材４６に押え上げレバー３１の後端部が回動可能且つ前後方向へ相対移動可能に連結されており、パルスモータ３５が駆動されると、その駆動力が前記部材３６〜４６を介して押え上げレバー３１に伝達され、押え上げレバー３１が回動駆動される。押え上げレバー３１の前端部分がＬ形部材２６の水平部に係合しない状態で、圧縮コイルバネ３３により下側へ付勢された、押えアーム３の前端側部分に装着された１対の押え部材７の押え部６２が送り板１６上に押圧される。
【００３２】
この状態から、レバー駆動部３４により押え上げレバー３１が図１の矢印ａの方向へ回動されると、押え上げレバー３１の前端部分がＬ形部材２６の水平部に下側から係合して、押えレバー３が引き上げられ、１対の押え部材７の押え部６２が針板１４から上側へ離間し、この状態で、送り板１６上への生地Ｗのセット、セットオフが行われる。この状態から、レバー駆動部３４により押え上げレバー３１が図１の矢印ｂの方向へ回動されると、押えレバー３が下降し、最終的には、１対の押え部材７の押え部６２が針板１４上に押圧される。尚、アーム駆動機構４については、パルスモータ３５の代わりに他のアクチュエータを適用したもの、或いは、アクチュエータを省略し、作業者がフットペダルを踏む等した操作力により、押えレバー３を引き上げる構成のものを適用してもよい。
【００３３】
図４〜図９に示すように、１対のボタン把持部材５は、把持用取付台２５に設けた１対の取付部材５０の前端部の１対の縦向きの鉛直片５０ａに夫々取り付けられている。各ボタン把持部材５は側面視にてＬ形に形成され、その水平部の前端部分の下端部に対向するボタン把持部材５側（内側）へ張り出すボタン受け５ａが一体形成され、１対のボタン把持部材５の前端部分でボタンＢＵが左右両側から把持され、この状態で、ボタンＢＵが１対のボタン受け５ａで受け止められた状態となる。また、１対のボタン把持部材５に把持されたボタンＢＵを上側から１対のボタン受け５ａに押える１対の板バネ部材で構成されたボタン押え部材２７が設けられ、これら１対のボタン押え部材２７は、把持高さ調節機構９を介して１対のボタン把持部材５に夫々高さ調節可能に装着されている。
【００３４】
図４〜図６、図８に示すように、把持部材開閉機構６は、把持用取付台２５の下側に配設された１対の取付部材５０、１対の取付部材５０の後端部を夫々鉛直軸心回りに把持用取付台２５に枢支する１対の枢支軸５１、１対の取付部材５０の下側に配設されて把持用取付台２５に前後方向へスライド自在にガイドされ且つ１対のハ字状のカム溝５２ａが形成された把持開閉作動板５２、１対の取付部材５０の長さ方向途中部に下方突出状に設けられ１対のカム溝５２ａに夫々案内された１対のカム従動子５３、把持開閉作動板５２を前方へ付勢するバネ部材５４を有する。
【００３５】
把持用取付台２５には、前後方向に長いガイド穴２５ａが形成され、段付きボルト部材５５が上側からガイド穴２５ａを挿通して把持開閉作動板５２に螺合され、これにより、把持用取付台２５に把持開閉作動板５２が前後方向へ移動自在にガイド支持されている。把持用取付台２５の上面には、ボルト５６と段付きボルト５７によりストッパ部材５８が位置可変に固定され、１対のボタン把持部材５でボタンＢＵが把持されていない状態（非把持状態）では、段付きボルト部材５５の頭部がストッパ部材５８に後側から係合した状態となる。段付きボルト５７を弛めてストッパ部材５８の位置を変更することにより、前記非把持状態における１対のボタン把持部材５間の間隔を調節することができる。
【００３６】
前記非把持状態における１対のボタン把持部材５間の間隔については、把持するボタンＢＵの直径よりも少し小さくなるように調節され、ボタンＢＵは、ボタン供給装置（図示略）により、１対のボタン把持部材５の間に圧入させるように供給される。尚、把持開閉作動板５２の前端部には、作業者が把持開閉作動板５２を後方へ移動させて、１対のボタン把持部材５を開ける為に操作する左右１対の操作部５２ｂが形成されている。
【００３７】
ここで、１対のボタン把持部材５で把持されたボタンＢＵに後側から当接して、ボタンＢＵの前後方向位置を位置決めする位置決め部材５９が把持開閉作動板５２に固定されている。位置決め部材５９は、１対のボタン把持部材５の開閉に連動して前後に進退するが、ボタンＢＵの大きさに関わらず、１対のボタン把持部材５で把持され且つ位置決め部材５９で位置決めされたボタンＢＵの中心が常に一定位置となるように設定されている。
【００３８】
位置決め部材５９の前端部の当接面５９ａは、上下方向に所定長に亙って形成された鉛直面からなり、把持高さ調節機構９により調節された１対のボタン把持部材５の把持高さＢに関わらず、当接部５９ａが１対のボタン把持部材５で把持されたボタンＢＵに後側から当接するようにしている。更に、位置決め部材５９の下端部は前方へ突出し、その突出部分により１対のボタン把持部材５で把持されたボタンＢＵを受け止め可能である。
【００３９】
図４〜図９に示すように、１対の押え部材７は、押え用取付台２２の下側に配設され前端部分が下方へ下がるＬ形に形成された１対の押え基部６０と、１対の押え基部６０の前端部に夫々ビス６１で固定された１対の押え部６２とを有する。１対の押え部６２の前部は段下がりの薄板状に形成され、その薄板状部分に１対のボタン把持部材５が開閉可能に上側から近接している。１対の押え部６２の内側端部には、下側へ僅かに突出する凸部６２ａが形成され、その凸部６２ａの下面に多数の微小突起が形成されている。
【００４０】
図４〜図９に示すように、押え開閉位置調節機構８は、１対の押え部材７の後端部を夫々鉛直軸心回りに押え用取付台２２に枢支する１対の枢支軸７０、１対の押え部材５の押え基部６０の下側に配設されて押え用取付台２２に前後方向へスライド自在にガイドされ且つ１対のハ字状のカム溝７１ａが形成された開閉作動板７１、１対の押え部材７の押え基部６０の長さ方向途中部に下方突出状に設けられ１対のカム溝７１ａに夫々案内された１対のカム従動子７２、押え用取付台２２（つまり、押えアーム３）に開閉作動板７１を固定する為の締結部材７３を有し、開閉作動板７１の前端部には、作業者が開閉作動板７１を前後方向へ移動させる為に操作する左右１対の操作部７１ｂが形成されている。
【００４１】
押え用取付台２２には、前後方向に長いガイド穴２２ａが形成され、締結部材７３が下側から開閉作動板７１を貫通すると共にガイド穴２２ａを挿通している。ガイド穴２２ａは中段部分の穴が狭くなる段付き穴に形成され、ガイド穴２２ａの上段部分の側面及び段部にナット７４が係合され、このナット７４に締結部材７３が螺合され、これにより、押え用取付台２２に開閉作動板７１が前後方向へ移動可能にガイド支持されている。
【００４２】
締結部材７３を弛めると、押え用取付台２２に対して開閉作動板７１を前後方向へスライドさせることができ、この開閉作動板７１のスライド移動により、開閉作動板７１に形成された１対のカム溝７１ａと、１対の押え部材５に設けられ１対のカム従動子７２により、１対の押え部材７が１対の枢支軸７０を支点として回動し、１対の押え部６２が左右方向へ開閉して押え間隔Ａを調節でき、その後、締結部材７３を締めると、その頭部とナット７４とで押え用取付台２２に開閉作動板７１と１対の押え部材５が締結されて、押え間隔Ａを固定することができる。
【００４３】
図４〜図９に示すように、把持高さ調節機構９は、押えアーム３に設けた把持用取付台２５に設けられ左右１対のボタン把持部材５を夫々取り付ける為の左右１対の取付部材５０、左方のボタン把持部材５の鉛直部に形成された上下に長い長穴７５、この長穴７５に前側から挿通され左方の取付部材５０の鉛直片５０ａに螺合される締結ネジ部材７６、右方のボタン把持部材５の鉛直部に形成された上下に長い長穴７５、この長穴７５に前側から挿通され右方の取付部材５０の鉛直片５０ａに螺合される締結ネジ部材７６を有する。
【００４４】
各ボタン把持部材５の鉛直部の後端部に上下に長い凹溝５ｂが形成され、この凹溝５ｂが対応する取付部材５０の鉛直片５０ａに前側から係合している。また、各ボタン押え部材２７には、その鉛直部に上下に長い長穴２７ａが形成され、その鉛直部の左右両端部から後方へ張り出す係合片２７ｂが形成されている。そして、各ボタン押え部材５０は、その鉛直部が対応するボタン把持部材５に前側から当接すると共に係合片２７ｂが係合し、その長穴２７ａに締結ネジ部材７６が前側から挿通されている。
【００４５】
各ボタン把持部材５、ボタン押え部材２７、締結ネジ部材７６、取付部材５０について、締結ネジ部材７６を弛めると、取付部材５０の鉛直片５０ａに対してボタン把持部材５を上下方向へスライドさせて、把持高さＢを調することができ、また、この把持高さＢの調節とは独立に、ボタン把持部材５に対してボタン押え部材２７を上下方向へスライドさせて、その高さを調節することができ、その後、締結ネジ部材７６を締めると、その頭部で鉛直片５０ａにボタン把持部材５とボタン押え部材２７が締結されて、把持高さＢとボタン押え部材２７の高さを固定することができる。尚、図６が把持高さＢが最小の状態、図８が把持高さＢが最大の状態を示している。
【００４６】
以上説明したボタン付けミシン１の作用・効果について説明する。
把持部材開閉機構６により１対のボタン把持部材５が開閉され、１対のボタン把持部材５が閉状態に切り換えられ、この閉状態の１対のボタン把持部材５によりボタンＢＵが把持される。閉状態における１対のボタン把持部材５間の間隔は、把持するボタンＢＵの大きさに応じて変化する。押えアーム３を上げた状態で、送り板１６上に生地Ｗがセットされ、次に、押えアーム３を下げると、１対の押え部材７の押え部６２により、１対のボタン把持部材５で把持されたボタンＢＵを縫い付ける生地ＷのうちボタンＢＵの近傍部分が針板１４上に押えられ、この状態で、ミシン本体２によりボタンＢＵが生地Ｗに縫い付けられる。
【００４７】
さて、押え開閉位置調節機構８により、１対の押え部材７の押え部６２同士の間の間隔（押え間隔Ａ）を調節して固定することができる。１対の押え部材７は、１対のボタン把持部材５とは独立に押えアーム３の先端側部分の押え用取付台２２に装着されているため、押え間隔Ａは、１対のボタン把持部材５の開閉に関係なく、押え開閉位置調節機構８で調節した位置に固定される。押え間隔Ａについては、ボタンＢＵに形成されたボタン穴を挿通する縫針１１と１対の押え部材７とが干渉しないように、これら押え部材７をできるだけ接近させた状態の間隔にすることが好ましく、これにより、ボタンＢＵを生地Ｗに縫い付ける際に、その縫糸により生地Ｗが浮き上がりボタンＢＵに引き付けられることを極力防止することができる。
【００４８】
押え開閉位置調節機構８は、１対の押え部材７の後端部を夫々鉛直軸心回りに押えアーム３に設けた押え用取付台２２に枢支する１対の枢支軸７０と、押え用取付台２２にスライド自在にガイドされ且つ１対のカム溝７１ａが形成された開閉作動板７１と、１対の押え部材７に設けられ１対のカム溝７１ａに夫々案内された１対のカム従動子７２と、押え用取付台２２に開閉作動板７１を固定する為の締結部材７３とを有するので、開閉作動板７１を押え用取付台２２に対して固定解除してスライドさせることにより、押え間隔Ａを簡単に調節することができ、締結部材７３で押え用取付台２２に開閉作動板７１を固定して、調節した押え間隔Ａを確実に固定することができる。
【００４９】
また、把持高さ調節機構９により、押え部材７に対するボタン把持部材５の高さ位置（把持高さＢ）を調節して固定することができる。そして、前記のように、ボタンＢＵを生地Ｗに縫い付ける際に、その縫糸により生地Ｗが浮き上がりボタンＢＵに引き付けられることを極力防止できるため、把持高さ調節機構９で調節した把持高さＢに応じた生地ＷとボタンＢＵとの間隔を保持して、ボタンＢＵを生地Ｗに縫い付けることができ、ボタンＢＵを生地Ｗに縫い付ける縫目に適度な弛みを確実に持たせることが可能になる。
【００５０】
把持高さ調節機構９は、押えアーム３に設けた把持用取付台２５に設けられボタン把持部材５を取り付ける為の取付部材５０の縦向きの鉛直片５０ａ（取付部）と、ボタン把持部材５に形成された上下に長い長穴７５と、この長穴７５を挿通する締結ネジ部材７６とを有するので、ボタン把持部材５を鉛直片５０ａに締結ネジ部材７６で固定することができ、その締結ネジ部材７６を弛めて、鉛直片５０ａに対してボタン把持部材５を上下に移動させて、把持高さＢを簡単に調節し、締結ネジ部材７６を締めて、調節した把持高さＢを確実に固定することができる。
【００５１】
１対のボタン把持部材５に把持されたボタンＢＵを上側から押える１対のボタン押え部材２７を設け、１対のボタン押え部材２７は把持高さ調節機構９を介して１対のボタン把持部材５に夫々高さ調節可能に装着されるので、ボタンＢＵの厚さに応じて１対のボタン押え部材２７を調節して、それらボタン押え部材２７により１対のボタン把持部材５に把持されたボタンＢＵを上側から確実に押えて保持することができ、また、把持高さ調節機構９を利用して１対のボタン把持部材５に１対のボタン押え部材２７を装着することができるため、構造を簡単化し製作コスト的にも有利になる。
【００５２】
尚、把持高さ調節機構９においては、押えアーム３に設けた把持用取付台２５に設けられ左右１対のボタン把持部材５を夫々取り付ける為の左右１対の取付部材５０、左方の取付部材５０の鉛直片５０ａに形成された上下に長い長穴、この長穴７５に挿通され左方のボタン把持部材５の鉛直部に螺合される締結ネジ部材、右方の取付部材５０の鉛直片５０ａに形成された上下に長い長穴、この長穴７５に挿通され右方のボタン把持部材５の鉛直部に螺合される締結ネジ部材を有するものに構成してもよい。
【実施例２】
【００５３】
次に、本発明の実施例２について図１０〜図１５に基づいて説明する。
このボタン付けミシン１Ａは、実施例１のボタン付けミシン１において、基本的に、把持高さ調節機構９を変更したものであり、ミシン本体２、押えアーム３、アーム駆動機構４、１対のボタン把持部材５、把持部材開閉機構６、１対の押え部材７、押え開閉位置調節機構８等は、実施例１と同様であるので同一符号を付して説明を省略する。但し、把持高さ調節機構９の変更に伴い変更した構成もあり、その点については適宜説明する。
【００５４】
先ず、把持用取付台２５に設けた１対の取付部材５０の鉛直片５０ａに、１対のボタン把持部材５が夫々ビス８０により固定的に装着され、各ボタン把持部材５にボタン押え部材２７が締結ネジ部材８１により装着されている。締結ネジ部材８１が、ボタン押え部材２７の長穴２７ａに前側から挿通されてボタン把持部材５に螺合され、１対のボタン押え部材２７が夫々１対のボタン把持部材５に対して高さ調節可能となる。実施例１のような押え用取付台２２に把持用取付台２５を連結するスペーサ２３とボタン２４は省略され、把持用取付台２５は把持高さ調節機構９Ａを介して押え用取付台２２に連結されている。
【００５５】
押え用取付台２２に連結された把持用取付台２５に、１対のボタン把持部材５と把持部材開閉機構６が取り付けられ、把持高さ調節機構９Ａは、押え用取付台２２に対して把持用取付台２５を支持すると共に上下方向へ高さ調節可能な３つの高さ調節部材である調節ネジ９０を有する。これら３つの調節ネジ９０は前方に向かって逆３角形の頂点配置にて縦向き姿勢で配設され、各調節ネジ９０はその下端部が押え用取付台２２に鉛直軸心回りに回動操作可能に支持され、把持用取付台２５に下側から螺合されている。
【００５６】
各調節ネジ９０の下端部分にはプーリー９１が固着され、また、送り用取付台２２には、２つのプーリー９２が回転自在に装着されている。そして、これら５つのプーリー９１，９２に無端のベルト９３が掛けられ、３つの調節ネジ９０の何れかを回動させることにより、その回動と同期して他の２つの調節ネジ９０を回動可能に構成してある。また、各調節ネジ９０は割りネジに構成され、ドライバー等の操作具を用いて調節ネジ９０を回動させることができる。尚、各調節ネジ９０を割りネジに構成することより、この調節ネジ９０とそれが螺合する把持用取付台２５のネジ穴とのガタも発生しにくくなる。
【００５７】
このボタン付けミシン１Ａによれば、押え用取付台２２に連結された把持用取付台２５に、１対のボタン把持部材５と把持部材開閉機構６が取り付けられ、把持高さ調節機構９Ａは、押え用取付台２２に対して把持用取付台２５を支持すると共に上下方向へ高さ調節可能な３つの高さ調節部材である高さ調節ネジ９０を有するので、１対のボタン把持部材５と把持部材開閉機構６の機能を損なうことなく、３つの高さ調節ネジ９０により、押え用取付台２２に対して把持用取付台２５を支持し、その把持用取付台２５を上下方向へ高さ調節することにより、把持高さＢを簡単に調節して固定することができる。
【００５８】
高さ調節部材として、押え用取付台２２に鉛直軸心回りに回動操作可能に支持され、且つ、把持用取付台２５に螺合された高さ調節ネジ９０を採用したので、３つの高さ調節ネジ９０を回動させることにより、押え用取付台２２に対して把持用取付台２５を簡単に且つ確実に上下方向へ高さ調節することができる。本実施例では、プーリー９１，９２とベルト９３を設けたことにより、３つの高さ調節ネジ９０を一度に回動させることができるため、操作負荷を著しく軽減することができる。尚、図１３が把持高さＢが最小の状態、図１５が把持高さＢが最大の状態を示している。
【００５９】
尚、この把持高さ調節機構９Ａについては次のように変更してもよい。
１）高さ調節部材として、４つ以上の高さ調節ネジ９０を適用してもよい。
２）高さ調節部材として、高さ調節ネジ９０と、押え用取付台２２に立設されて把持用取付台２５を昇降自在にガイドするガイドロッドを適用してもよい。
３）高さ調節部材として、押え用取付台２２に立設されて把持用取付台２５を昇降自在にガイドするガイドロッドと、押え用取付台２２に対して把持用取付台２５を昇降駆動するアクチュエータを適用してもよい。
【００６０】
４）押えアーム３（アーム本体２０）に対して把持用取付台２５を支持すると共に上下方向へ高さ調節可能な複数の高さ調節部材を有するものにしてもよい。
５）各調節ネジ９０はその上端部が把持用取付台２５に鉛直軸心回りに回動操作可能に支持され、押え用取付台２２に上側から螺合されるようにしてもよい。
６）プーリー９１，９２とベルト９３を省略してもよい。
【００６１】
その他、実施例１のボタン付けミシン１、実施例２のボタン付けミシン１Ａに、本発明の趣旨を逸脱しない範囲において種々の変更付加して実施することが可能である。
【図面の簡単な説明】
【００６２】
【図１】実施例１に係るボタン付けミシンの側面図である。
【図２】ボタン付けミシンのミシン本体の斜視図である。
【図３】ボタン付けミシンのアーム駆動機構の正面図である。
【図４】ボタン付けミシンの要部の斜視図である。
【図５】図４のボタン付けミシンの要部の分解斜視図である。
【図６】ボタン付けミシンの側面図である。
【図７】図６のボタン付けミシンの正面図である。
【図８】ボタン付けミシンの側面図である。
【図９】図８のボタン付けミシンの正面図である。
【図１０】実施例２に係るボタン付けミシンの要部の斜視図である。
【図１１】図１０のボタン付けミシンの要部の分解斜視図である。
【図１２】ボタン付けミシンの側面図である。
【図１３】図１２のボタン付けミシンの正面図である。
【図１４】ボタン付けミシンの側面図である。
【図１５】図１４のボタン付けミシンの正面図である。
【符号の説明】
【００６３】
ＢＵ  ボタン
Ｗ  生地
１，１Ａ  ボタン付けミシン
２  ミシン本体
２ａ  ベッド部
３  押えアーム
５  ボタン把持部材
６  把持部材開閉機構
７  押え部材
８  開閉位置調節機構
９，９Ａ  把持高さ調節機構
１４  針板
２２  押え用取付台
２５  把持用取付台
２７  ボタン押え部材
５０  取付部材
５０ａ  鉛直片
７０  枢支軸
７１  開閉作動板
７１ａ  カム溝
７２  カム従動子
７３  締結部材
７５  長穴
７６  締結ネジ部材
９０  調節ネジ
【図１】
2005287543.tif 000003
【図２】
2005287543.tif 000004
【図３】
2005287543.tif 000005
【図４】
2005287543.tif 000006
【図５】
2005287543.tif 000007
【図６】
2005287543.tif 000008
【図７】
2005287543.tif 000009
【図８】
2005287543.tif 000010
【図９】
2005287543.tif 000011
【図１０】
2005287543.tif 000012
【図１１】
2005287543.tif 000013
【図１２】
2005287543.tif 000014
【図１３】
2005287543.tif 000015
【図１４】
2005287543.tif 000016
【図１５】
2005287543.tif 000017